【手続補正書】
【提出日】令和1年11月21日(2019.11.21)
【手続補正１】
【補正対象書類名】明細書
【補正対象項目名】０１９７
【補正方法】変更
【補正の内容】
【０１９７】
従って、本明細書は、限定的意味ではなく例示的なものと見なすべきであり、こうした改変はすべて、本発明の範囲内に包含されることが意図されている。
特定の実施形態に関して、利益、その他の利点、及び問題に対する解決法を以上に記載してきた。しかしながら、これらの利益、利点、問題の解決法、並びに、なんらかの利益、利点、又は解決法を発生させたり、より顕著にしたりすることがある、いずれの要素も、特許請求の範囲のいずれか又はすべての重要、必要、又は本質的な特徴又は要素であるとして解釈すべきではない。
【手続補正２】
【補正対象書類名】明細書
【補正対象項目名】０１９８
【補正方法】変更
【補正の内容】
【０１９８】
以上、本発明を要約すると下記のとおりである。
１．ｄ）エステル基質と、
ｅ）複数の第１の水溶性繊維と、ペルヒドロラーゼと、を含む第１のウェブであって、前記ペルヒドロラーゼは、前記第１の水溶性繊維に封入され、前記第１のウェブの総重量に基づいて０．１〜４０重量％の量で存在する第１のウェブと、
ｆ）複数の第２の水溶性繊維と、酸化剤と、を含む第２のウェブであって、前記酸化剤は、前記第２の水溶性繊維に封入される第２のウェブと、を含む繊維状構造体であって、前記第１の水溶性繊維及び前記第２の水溶性繊維は、溶液紡糸水溶性繊維である、繊維状構造体。
２．第３のウェブを更に含み、前記第３のウェブは、複数の第３の水溶性繊維を含み、前記エステル基質は、前記第３の水溶性繊維に封入される、前記１に記載の繊維状構造体。３．第３のウェブを更に含み、前記第３のウェブは、複数の第３の水溶性繊維を含み、前記エステル基質は、前記第３のウェブの少なくとも一部に吸収される、前記１に記載の繊維状構造体。
４．前記第１の水溶性繊維、前記第２の水溶性繊維、及び前記第３の水溶性繊維は、メチルセルロース、ヒドロキシプロピルメチルセルロース、グアーガム、アルギン酸、ポリビニルピロリドン、ポリエチレンオキシド、ポリビニルアルコール、プルラン、ポリアスパ
ラギン酸、ポリ乳酸、ポリアクリル酸、これらのコポリマー、又はこれらの混合物から独立して選択される、前記２又は３に記載の繊維状構造体。
５．前記第１の水溶性繊維、前記第２の水溶性繊維、及び前記第３の水溶性繊維は、ポリビニルピロリドン、ポリビニルアルコール、プルラン、又はこれらの混合物から独立して選択される、前記２又は３に記載の繊維状構造体。
６．前記第１の水溶性繊維、前記第２の水溶性繊維、及び前記第３の水溶性繊維は、２０〜５４％の結晶化度を有する、前記２又は３に記載の繊維状構造体。
７．前記第１の水溶性繊維、前記第２の水溶性繊維、及び前記第３の水溶性繊維は、電気ブローされた水溶性繊維である、前記２又は３に記載の繊維状構造体。
８．前記エステル基質は、前記第１のウェブの少なくとも一部に吸収される、又は前記第２のウェブの少なくとも一部に吸収される、又は前記第１のウェブと前記第２のウェブの両方の少なくとも一部に吸収される、前記１に記載の繊維状構造体。
９．前記第１の水溶性繊維及び前記第２の水溶性繊維は、メチルセルロース、ヒドロキシプロピルメチルセルロース、グアーガム、アルギン酸、ポリビニルピロリドン、ポリエチレンオキシド、ポリビニルアルコール、プルラン、ポリアスパラギン酸、ポリ乳酸、ポリアクリル酸、これらのコポリマー、又はこれらの混合物から独立して選択される、前記１に記載の繊維状構造体。
１０．前記第１の水溶性繊維及び前記第２の水溶性繊維は、ポリビニルピロリドン、ポリビニルアルコール、プルラン、又はこれらの混合物から独立して選択される、前記１に記載の繊維状構造体。
１１．前記第１の水溶性繊維及び前記第２の水溶性繊維は、２０〜５４％の結晶化度を有する、前記１に記載の繊維状構造体。
１２．前記第１の水溶性繊維及び前記第２の水溶性繊維は、電気ブローされた水溶性繊維である、前記１に記載の繊維状構造体。
１３．前記酸化剤は、過酸化物、過マンガン酸、クロム酸、二クロム酸、四酸化オスミウム、過塩素酸、硝酸カリウム、過ホウ酸塩、過炭酸塩、亜酸化窒素、酸化銀、又はこれらの混合物から選択される、前記１〜３のいずれかに記載の繊維状構造体。
１４．前記酸化剤は過酸化水素である、前記１３に記載の繊維状構造体。
１５．前記第１の水溶性繊維は、２０〜５４％の結晶化度を有する、前記１に記載の繊維状構造体。
１６．ｄ）エステル基質と、
ｅ）複数の第１の水溶性繊維と、ペルヒドロラーゼと、を含む第１のウェブであって、前記ペルヒドロラーゼは、前記第１の水溶性繊維に封入され、前記第１のウェブの総重量に基づいて０．１〜４０重量％の量で存在する第１のウェブと、
ｆ）複数の第２の水溶性繊維と、過酸化水素と、を含む第２のウェブであって、前記過酸化水素は、前記第２のウェブの少なくとも一部に複合化される第２のウェブと、を含む、繊維状構造体であって、
前記第２の水溶性繊維は、ポリビニルピロリドン又はそのコポリマーであり、且つ、
前記第１の水溶性繊維及び前記第２の水溶性繊維は、溶液紡糸水溶性繊維である、繊維状構造体。
１７．第３のウェブを更に含み、前記第３のウェブは、複数の第３の水溶性繊維を含み、前記エステル基質は、前記第３の水溶性繊維に封入される、前記１６に記載の繊維状構造体。
１８．第３のウェブを更に含み、前記第３のウェブは、複数の第３の水溶性繊維を含み、前記エステル基質は、前記第３のウェブの少なくとも一部に吸収される、前記１６に記載の繊維状構造体。
１９．前記第１の水溶性繊維及び前記第３の水溶性繊維は、メチルセルロース、ヒドロキシプロピルメチルセルロース、グアーガム、アルギン酸、ポリビニルピロリドン、ポリエチレンオキシド、ポリビニルアルコール、プルラン、ポリアスパラギン酸、ポリ乳酸、ポリアクリル酸、これらのコポリマー、又はこれらの混合物から独立して選択される、前記
１７又は１８に記載の繊維状構造体。
２０．前記第１の水溶性繊維及び前記第３の水溶性繊維は、ポリビニルピロリドン、ポリビニルアルコール、プルラン、又はこれらの混合物から独立して選択される、前記１７又は１８に記載の繊維状構造体。
２１．前記第１の水溶性繊維及び前記第３の水溶性繊維は、２０〜５４％の結晶化度を有する、前記１７又は１８に記載の繊維状構造体。
２２．前記第１の水溶性繊維、前記第２の水溶性繊維、及び前記第３の水溶性繊維は、電気ブローされた水溶性繊維である、前記１７又は１８に記載の繊維状構造体。
２３．前記エステル基質は、前記第１のウェブの少なくとも一部に吸収される、前記１６に記載の繊維状構造体。
２４．前記第１の水溶性繊維は、メチルセルロース、ヒドロキシプロピルメチルセルロース、グアーガム、アルギン酸、ポリビニルピロリドン、ポリエチレンオキシド、ポリビニルアルコール、プルラン、ポリアスパラギン酸、ポリ乳酸、ポリアクリル酸、これらのコポリマー、又はこれらの混合物から選択される、前記１６に記載の繊維状構造体。
２５．前記第１の水溶性繊維は、ポリビニルピロリドン、ポリビニルアルコール、プルラン、又はこれらの混合物から選択される、前記１６に記載の繊維状構造体。
２６．前記第１の水溶性繊維は、２０〜５４％の結晶化度を有する、前記１６に記載の繊維状構造体。
２７．前記第１の水溶性繊維及び前記第２の水溶性繊維は、電気ブローされた水溶性繊維である、前記１６に記載の繊維状構造体。
２８．前記エステル基質は、ジアセチン、トリアセチン、酢酸エチル、乳酸エチル、又はこれらの混合物から選択される、前記１〜２７のいずれかに記載の繊維状構造体。
２９．前記ペルヒドロラーゼの封入効率は８０〜１００％である、前記１〜２８のいずれかに記載の繊維状構造体。
３０．ペルヒドロラーゼは、９０％〜１００％の封入収率で前記第１のウェブに封入される、前記１〜２９のいずれかに記載の繊維状構造体。
３１．前記繊維状構造体は、溶液の総重量パーセントに基づいて７０重量％以上の水を有する溶液に溶解する、前記１〜３０のいずれかに記載の繊維状構造体。
３２．前記ペルヒドロラーゼは、細胞又は細胞破片を実質的に含まない組成物で提供される、前記１〜３１のいずれかに記載の繊維状構造体。
３３．前記繊維状構造体は、織布ウェブ、断片化織布ウェブ、不織布ウェブ、断片化不織布ウェブ、個々の繊維、又はこれらの組み合わせの形態にある、前記１〜３２のいずれかに記載の繊維状構造体。
【手続補正３】
【補正対象書類名】特許請求の範囲
【補正対象項目名】全文
【補正方法】変更
【補正の内容】
【特許請求の範囲】
【請求項１】
ａ）エステル基質と、
ｂ）複数の第１の水溶性繊維と、ペルヒドロラーゼと、を含む第１のウェブであって、前記ペルヒドロラーゼは、前記第１の水溶性繊維に封入され、前記第１のウェブの総重量に基づいて０．１〜４０重量％の量で存在する第１のウェブと、
ｃ）複数の第２の水溶性繊維と、酸化剤と、を含む第２のウェブであって、前記酸化剤は、前記第２の水溶性繊維に封入される第２のウェブと、を含む繊維状構造体であって、前記第１の水溶性繊維及び前記第２の水溶性繊維は、溶液紡糸水溶性繊維である、繊維状構造体。
【請求項２】
第３のウェブを更に含み、前記第３のウェブは、複数の第３の水溶性繊維を含み、前記
エステル基質は、前記第３の水溶性繊維に封入される、請求項１に記載の繊維状構造体。
【請求項３】
第３のウェブを更に含み、前記第３のウェブは、複数の第３の水溶性繊維を含み、前記エステル基質は、前記第３のウェブの少なくとも一部に吸収される、請求項１に記載の繊維状構造体。
【請求項４】
前記第１の水溶性繊維、前記第２の水溶性繊維、及び前記第３の水溶性繊維は、メチルセルロース、ヒドロキシプロピルメチルセルロース、グアーガム、アルギン酸、ポリビニルピロリドン、ポリエチレンオキシド、ポリビニルアルコール、プルラン、ポリアスパラギン酸、ポリ乳酸、ポリアクリル酸、これらのコポリマー、又はこれらの混合物から独立して選択される、請求項２又は３に記載の繊維状構造体。
【請求項５】
前記エステル基質は、前記第１のウェブの少なくとも一部に吸収される、又は前記第２のウェブの少なくとも一部に吸収される、又は前記第１のウェブと前記第２のウェブの両方の少なくとも一部に吸収される、請求項１に記載の繊維状構造体。
【請求項６】
前記第１の水溶性繊維及び前記第２の水溶性繊維は、メチルセルロース、ヒドロキシプロピルメチルセルロース、グアーガム、アルギン酸、ポリビニルピロリドン、ポリエチレンオキシド、ポリビニルアルコール、プルラン、ポリアスパラギン酸、ポリ乳酸、ポリアクリル酸、これらのコポリマー、又はこれらの混合物から独立して選択される、請求項１に記載の繊維状構造体。
【請求項７】
前記第１の水溶性繊維及び前記第２の水溶性繊維は、２０〜５４％の結晶化度を有する、請求項１に記載の繊維状構造体。
【請求項８】
前記酸化剤は、過酸化物、過マンガン酸、クロム酸、二クロム酸、四酸化オスミウム、過塩素酸、硝酸カリウム、過ホウ酸塩、過炭酸塩、亜酸化窒素、酸化銀、又はこれらの混合物から選択される、請求項１〜３のいずれか一項に記載の繊維状構造体。
【請求項９】
ａ）エステル基質と、
ｂ）複数の第１の水溶性繊維と、ペルヒドロラーゼと、を含む第１のウェブであって、前記ペルヒドロラーゼは、前記第１の水溶性繊維に封入され、前記第１のウェブの総重量に基づいて０．１〜４０重量％の量で存在する第１のウェブと、
ｃ）複数の第２の水溶性繊維と、過酸化水素と、を含む第２のウェブであって、前記過酸化水素は、前記第２のウェブの少なくとも一部に複合化される第２のウェブと、を含む、繊維状構造体であって、
前記第２の水溶性繊維は、ポリビニルピロリドン又はそのコポリマーであり、且つ、
前記第１の水溶性繊維及び前記第２の水溶性繊維は、溶液紡糸水溶性繊維である、繊維状構造体。
【請求項１０】
第３のウェブを更に含み、前記第３のウェブは、複数の第３の水溶性繊維を含み、前記エステル基質は、前記第３の水溶性繊維に封入される、請求項９に記載の繊維状構造体。
【請求項１１】
第３のウェブを更に含み、前記第３のウェブは、複数の第３の水溶性繊維を含み、前記エステル基質は、前記第３のウェブの少なくとも一部に吸収される、請求項９に記載の繊維状構造体。
【請求項１２】
前記第１の水溶性繊維及び前記第３の水溶性繊維は、メチルセルロース、ヒドロキシプロピルメチルセルロース、グアーガム、アルギン酸、ポリビニルピロリドン、ポリエチレンオキシド、ポリビニルアルコール、プルラン、ポリアスパラギン酸、ポリ乳酸、ポリア
クリル酸、これらのコポリマー、又はこれらの混合物から独立して選択される、請求項１０又は１１に記載の繊維状構造体。
【請求項１３】
前記エステル基質は、前記第１のウェブの少なくとも一部に吸収される、請求項９に記載の繊維状構造体。
【請求項１４】
前記第１の水溶性繊維は、メチルセルロース、ヒドロキシプロピルメチルセルロース、グアーガム、アルギン酸、ポリビニルピロリドン、ポリエチレンオキシド、ポリビニルアルコール、プルラン、ポリアスパラギン酸、ポリ乳酸、ポリアクリル酸、これらのコポリマー、又はこれらの混合物から選択される、請求項９に記載の繊維状構造体。
【請求項１５】
前記エステル基質は、ジアセチン、トリアセチン、酢酸エチル、乳酸エチル、又はこれらの混合物から選択される、請求項１〜１４のいずれか一項に記載の繊維状構造体。
【請求項１６】
前記ペルヒドロラーゼの封入効率は８０〜１００％である、請求項１〜１５のいずれか一項に記載の繊維状構造体。
【請求項１７】
前記繊維状構造体は、溶液の総重量パーセントに基づいて７０重量％以上の水を有する溶液に溶解する、請求項１〜１６のいずれか一項に記載の繊維状構造体。
【請求項１８】
前記ペルヒドロラーゼは、細胞又は細胞破片を実質的に含まない組成物で提供される、請求項１〜１７のいずれか一項に記載の繊維状構造体。
【請求項１９】
前記繊維状構造体は、織布ウェブ、断片化織布ウェブ、不織布ウェブ、断片化不織布ウェブ、個々の繊維、又はこれらの組み合わせの形態にある、請求項１〜１８のいずれか一項に記載の繊維状構造体。